(57)【要約】【課題】接着や粘着を行わず、差し込み方式により組み立てでき、差し込み片の差し込み作業を能率よく行え、丈夫なポケット部付きファィルおよびその製造方法を提供する。【解決手段】組立前の展開状態において、１枚のシートに、第一および第二の表紙部２，３と、第二の表紙部３の下方に位置する外側ポケット形成部５と、第二の表紙部３の側方に位置する内側ポケット形成部７と、マチ形成部３，４，６とを設け、さらに外側ポケット形成部５と内側ポケット形成部７にそれぞれ一端側のみを開放された段付き囲繞形状をなす差し込み側切り込み９、受け側切り込み１１を設けておく。各部を適宜内側に折り曲げるとともに、差し込み側切り込み９内に形成された差し込み片１０の細幅部を受け側切り込み１１内に形成された受け穴１３の細幅部に嵌合することにより、ポケット部を組立てる。【選択図】図１
2013014080.tif 000002
【特許請求の範囲】
【請求項１】
第一および第二の表紙部と、前記第二の表紙部の内側に設けられたポケット部とを有してなるポケット部付きファィルにおいて、
組立前の展開状態では、矩形状の前記第一の表紙部と、矩形状の前記第二の表紙部と、前記第一の表紙部と前記第二の表紙部との間に設けられた帯状の第一のマチ形成部と、前記第二の表紙部の下方に設けられた外側ポケット形成部と、前記第二の表紙部と前記外側ポケット形成部との間に設けられた帯状の第二のマチ形成部と、前記第二の表紙部の前記第一の表紙部とは反対側の側方に設けられた内側ポケット形成部と、前記第二の表紙部と前記内側ポケット形成部との間に設けられた帯状の第三のマチ形成部と、前記外側ポケット形成部に設けられた、下端側のみを開放された囲繞形状をなす差し込み側切り込みと、この差し込み側切り込みにより該差し込み側切り込み内に形成された差し込み片と、前記内側ポケット形成部に設けられた上端側のみを開放された囲繞形状をなす受け側切り込みと、この受け側切り込みにより該受け側切り込み内に形成された受け片とを１枚のシートに有しており、
前記差し込み片は、前記差し込み側切り込みの囲繞形状の開放側に設けられた差し込み片細幅部と、この差し込み片細幅部より先端側に設けられており、前記差し込み片細幅部より幅が大きい差し込み片太幅部と、差し込み片細幅部と差し込み片太幅部との間に形成された差し込み片段差部とを有しており、
前記受け片が曲げ起こされたとき、前記受け側切り込みで囲まれる領域に開放される受け穴は、前記受け側切り込みの囲繞形状の開放側に設けられた受け穴太幅部と、この受け穴太幅部より下方に設けられており、前記受け穴太幅部より幅が小さい受け穴細幅部と、前記受け穴細幅部と前記受け穴太幅部との間に形成された受け穴段差部とを有しており、
前記第三のマチ形成部を前記第二の表紙部に対して前記第三のマチ形成部と前記第二の表紙部との境界線をなす折り線に沿って内方に折り曲げるとともに、前記内側ポケット形成部を前記第三のマチ形成部に対して前記内側ポケット形成部と前記第三のマチ形成部との境界線をなす折り線に沿って内方に折り曲げ、さらに前記第二のマチ形成部を前記第二の表紙部に対して前記第二のマチ形成部と前記第二の表紙部との境界線をなす折り線に沿って内方に折り曲げるとともに、前記外側ポケット形成部を前記第二のマチ形成部に対して前記外側ポケット形成部と前記第二のマチ形成部との境界線をなす折り線に沿って内方に折り曲げ、前記受け片を内側に曲げ起こして前記受け穴を開放するとともに前記差し込み片を前記受け穴に差し込み、前記差し込み片細幅部と前記受け穴細幅部とを嵌合することにより、前記外側ポケット形成部、前記内側ポケット形成部、前記第二のマチ形成部および前記第三のマチ形成部によって構成される前記ポケット部が組立てられており、
前記第一のマチ形成部を前記第二の表紙部に対して前記第一のマチ形成部と前記第二の表紙部との境界線をなす折り線に沿って内方に折り曲げるとともに、前記第一の表紙部を前記第一のマチ形成部に対して前記第一の表紙部と前記第一のマチ形成部との境界線をなす折り線に沿って内方に折り曲げ、前記第一の表紙部と前記第二の表紙部との間にポケット部を挟むことができるようになっているポケット部付きファィル。
【請求項２】
前記差し込み側切り込み、前記差し込み片、前記受け側切り込み、前記受け片および前記受け穴が２組以上設けられている請求項１記載のポケット部付きファィル。
【請求項３】
第一および第二の表紙部と、前記第二の表紙部の内側に設けられたポケット部とを有してなるポケット部付きファィルの製造方法であって、
展開状態において、矩形状の前記第一の表紙部と、矩形状の前記第二の表紙部と、前記第一の表紙部と前記第二の表紙部との間に設けられた帯状の第一のマチ形成部と、前記第二の表紙部の下方に設けられた外側ポケット形成部と、前記第二の表紙部と前記外側ポケット形成部との間に設けられた帯状の第二のマチ形成部と、前記第二の表紙部の前記第一の表紙部とは反対側の側方に設けられた内側ポケット形成部と、前記第二の表紙部と前記内側ポケット形成部との間に設けられた帯状の第三のマチ形成部と、前記外側ポケット形成部に設けられた、下端側のみを開放された囲繞形状をなす差し込み側切り込みと、この差し込み側切り込みにより該差し込み側切り込み内に形成された差し込み片と、前記内側ポケット形成部に設けられた上端側のみを開放された囲繞形状をなす受け側切り込みと、この受け側切り込みにより該受け側切り込み内に形成された受け片とを１枚のシートに有しており、
前記差し込み片は、前記差し込み側切り込みの囲繞形状の開放側に設けられた差し込み片細幅部と、この差し込み片細幅部より先端側に設けられており、前記差し込み片細幅部より幅が大きい差し込み片太幅部と、差し込み片細幅部と差し込み片太幅部との間に形成された差し込み片段差部とを有しており、
前記受け片が曲げ起こされたとき、前記受け側切り込みで囲まれる領域に開放される受け穴は、前記受け側切り込みの囲繞形状の開放側に設けられた受け穴太幅部と、この受け穴太幅部より下方に設けられており、前記受け穴太幅部より幅が小さい受け穴細幅部と、前記受け穴細幅部と前記受け穴太幅部との間に形成された受け穴段差部とを有している一枚のシートを用意する段階と、
前記第三のマチ形成部を前記第二の表紙部に対して前記第三のマチ形成部と前記第二の表紙部との境界線をなす折り線に沿って内方に折り曲げるとともに、前記内側ポケット形成部を前記第三のマチ形成部に対して前記内側ポケット形成部と前記第三のマチ形成部との境界線をなす折り線に沿って内方に折り曲げる段階と、
前記第二のマチ形成部を前記第二の表紙部に対して前記第二のマチ形成部と前記第二の表紙部との境界線をなす折り線に沿って内方に折り曲げるとともに、前記外側ポケット形成部を前記第二のマチ形成部に対して前記外側ポケット形成部と前記第二のマチ形成部との境界線をなす折り線に沿って内方に折り曲げる段階と、
前記受け片を内側に曲げ起こして前記受け穴を開放するとともに前記差し込み側切り込みから内側に曲げ起こした前記差し込み片を前記受け穴に差し込み、前記差し込み片細幅部と前記受け穴細幅部とを嵌合することにより、前記外側ポケット形成部、前記内側ポケット形成部、前記第二のマチ形成部および前記第三のマチ形成部によって構成される前記ポケット部を組立てる段階と、
前記第一のマチ形成部を前記第二の表紙部に対して前記第一のマチ形成部と前記第二の表紙部との境界線をなす折り線に沿って内方に折り曲げるとともに、前記第一の表紙部を前記第一のマチ形成部に対して前記第一の表紙部と前記第一のマチ形成部との境界線をなす折り線に沿って内方に折り曲げ、前記第一の表紙部と前記第二の表紙部との間にポケット部を挟む段階とを有してなるポケット部付きファィルの製造方法。
【請求項４】
前記差し込み側切り込み、前記差し込み片、前記受け側切り込み、前記受け片および前記受け穴が２組以上設けられている請求項３記載のポケット部付きファィルの製造方法。
【発明の詳細な説明】
【技術分野】
【０００１】
本発明はポケット部付きファィルおよびその製造方法に係り、特に少なくとも主要部を１枚の紙等のシートにより構成され、かつマチを有するポケット部付きファィルおよびその製造方法に関する。
【背景技術】
【０００２】
従来、１枚の紙またはＰＰ（ポリプロピレン）、ＰＥＴ（ポリエチレンテフタレート）等のプラスチックシートからポケット部付きファイルを作成する場合は、多くの場合、展開状態において一方の表紙部の側方および下方にそれぞれ設けられた側方ポケット形成部および下方ポケット形成部を、それぞれ前記表紙部から内側に折り返して互いに接着することにより、ポケット部を作成していた。
【０００３】
しかし、ポケット部がマチ付きの場合は、前記側方ポケット形成部および下方ポケット形成部が前記表紙部から浮き上がることになるため、側方ポケット形成部および下方ポケット形成部を互いに直接接着することはできず、側方ポケット形成部および下方ポケット形成部を互いに両面粘着テープで粘着する必要があった。このため、製造コストが高くなるという問題があった。
【０００４】
また、従来、接着ないしは粘着によらず、差し込み方式により組み立てるポケット部付きファイルとしては、特許文献１および２に開示されているものがあった。
【先行技術文献】
【特許文献】
【０００５】
【特許文献１】実用新案登録第３０９４９２５号公報
【特許文献１】特開２００６−２１８７１３号公報
【発明の概要】
【発明が解決しようとする課題】
【０００６】
しかしながら、前記特許文献１に記載のファイルにおいては、マチ付きでなく、ポケット部に収容できる書類等の最大収容量が少ないという問題があった。
【０００７】
また、下方ポケット形成部（ポケット片）に設けられた斜め方向に延びる直線状の切り込みに、側方ポケット形成部に設けられた差し込み片を差し込んでポケット部を組み立てるようになっていたため、ポケット部に収容した書類等の重量によりポケット部に大きな力が下方に作用すると、差し込み片の引っ掛かり部と切り込みとが事実上一点で接触することになるため、差し込み片と切り込みとの接触部が破損しやすいという問題があった。
【０００８】
さらに、大きな問題としては、差し込み片の形状を、大きな力が作用すると、当該差し込み片がちぎれてしまい易い形状とせざるを得ないという問題もあった。
【０００９】
他方、前記特許文献２に記載のファイルにおいては、側方ポケット形成部に設けた斜め方向に延びる直線状の切り込みに下方ポケット形成部に設けた差し込み片を単純に差し込むだけの構成となっており、差し込み片には切り込みに確実に引っ掛かる部分が設けられていなかったので、ポケット部に該ポケット部に収容した書類等の重量により大きな力が下方に作用すると、差し込み片が切り込みから簡単に抜け、ポケット部が分解してしまうという問題があった。
【００１０】
さらに、前記特許文献１および２のファイルにおいては、一直線状の切り込みに差し込み片を差し込んでポケット部を組み立てるようになっていたため、差し込み片を切り込みに差し込む作業に時間が掛かり、組み立て作業の作業能率が悪いという問題があった。
【００１１】
本発明は、このような従来の事情に鑑みてなされたもので、本発明の目的の一つは、接着や粘着を行わず、差し込み方式により組み立てることができ、製造コストを低減できるマチを有するポケット部付きファィルおよびその製造方法を提供することにある。
【００１２】
本発明は、他の目的は、切り込みに対する差し込み片の差し込み作業を能率よく行うことができ、ひいては製造コストを一層低減できるポケット部付きファィルおよびその製造方法を提供することにある。
【００１３】
本発明の他の目的は、ポケット部に収容した書類等の重量によりポケット部に大きな力が下方に作用しても、ポケット部が分解したり、破損しにくいポケット部付きファィルおよびその製造方法を提供することにある。
【００１４】
本発明のさらに他の目的は、以下の説明から明らかになろう。
【課題を解決するための手段】
【００１５】
本発明によるポケット部付きファイルは、
第一および第二の表紙部と、前記第二の表紙部の内側に設けられたポケット部とを有してなるポケット部付きファィルにおいて、
組立前の展開状態では、矩形状の前記第一の表紙部と、矩形状の前記第二の表紙部と、前記第一の表紙部と前記第二の表紙部との間に設けられた帯状の第一のマチ形成部と、前記第二の表紙部の下方に設けられた外側ポケット形成部と、前記第二の表紙部と前記外側ポケット形成部との間に設けられた帯状の第二のマチ形成部と、前記第二の表紙部の前記第一の表紙部とは反対側の側方に設けられた内側ポケット形成部と、前記第二の表紙部と前記内側ポケット形成部との間に設けられた帯状の第三のマチ形成部と、前記外側ポケット形成部に設けられた、下端側のみを開放された囲繞形状をなす差し込み側切り込みと、この差し込み側切り込みにより該差し込み側切り込み内に形成された差し込み片と、前記内側ポケット形成部に設けられた上端側のみを開放された囲繞形状をなす受け側切り込みと、この受け側切り込みにより該受け側切り込み内に形成された受け片とを１枚のシートに有しており、
前記差し込み片は、前記差し込み側切り込みの囲繞形状の開放側に設けられた差し込み片細幅部と、この差し込み片細幅部より先端側に設けられており、前記差し込み片細幅部より幅が大きい差し込み片太幅部と、差し込み片細幅部と差し込み片太幅部との間に形成された差し込み片段差部とを有しており、
前記受け片が曲げ起こされたとき、前記受け側切り込みで囲まれる領域に開放される受け穴は、前記受け側切り込みの囲繞形状の開放側に設けられた受け穴太幅部と、この受け穴太幅部より下方に設けられており、前記受け穴太幅部より幅が小さい受け穴細幅部と、前記受け穴細幅部と前記受け穴太幅部との間に形成された受け穴段差部とを有しており、
前記第三のマチ形成部を前記第二の表紙部に対して前記第三のマチ形成部と前記第二の表紙部との境界線をなす折り線に沿って内方に折り曲げるとともに、前記内側ポケット形成部を前記第三のマチ形成部に対して前記内側ポケット形成部と前記第三のマチ形成部との境界線をなす折り線に沿って内方に折り曲げ、さらに前記第二のマチ形成部を前記第二の表紙部に対して前記第二のマチ形成部と前記第二の表紙部との境界線をなす折り線に沿って内方に折り曲げるとともに、前記外側ポケット形成部を前記第二のマチ形成部に対して前記外側ポケット形成部と前記第二のマチ形成部との境界線をなす折り線に沿って内方に折り曲げ、前記受け片を内側に曲げ起こして前記受け穴を開放するとともに前記差し込み片を前記受け穴に差し込み、前記差し込み片細幅部と前記受け穴細幅部とを嵌合することにより、前記外側ポケット形成部、前記内側ポケット形成部、前記第二のマチ形成部および前記第三のマチ形成部によって構成される前記ポケット部が組立てられており、
前記第一のマチ形成部を前記第二の表紙部に対して前記第一のマチ形成部と前記第二の表紙部との境界線をなす折り線に沿って内方に折り曲げるとともに、前記第一の表紙部を前記第一のマチ形成部に対して前記第一の表紙部と前記第一のマチ形成部との境界線をなす折り線に沿って内方に折り曲げ、前記第一の表紙部と前記第二の表紙部との間にポケット部を挟むことができるようになっているものである。
【００１６】
また、本発明によるポケット部付きファイルの製造方法は、
第一および第二の表紙部と、前記第二の表紙部の内側に設けられたポケット部とを有してなるポケット部付きファィルの製造方法であって、
展開状態において、矩形状の前記第一の表紙部と、矩形状の前記第二の表紙部と、前記第一の表紙部と前記第二の表紙部との間に設けられた帯状の第一のマチ形成部と、前記第二の表紙部の下方に設けられた外側ポケット形成部と、前記第二の表紙部と前記外側ポケット形成部との間に設けられた帯状の第二のマチ形成部と、前記第二の表紙部の前記第一の表紙部とは反対側の側方に設けられた内側ポケット形成部と、前記第二の表紙部と前記内側ポケット形成部との間に設けられた帯状の第三のマチ形成部と、前記外側ポケット形成部に設けられた、下端側のみを開放された囲繞形状をなす差し込み側切り込みと、この差し込み側切り込みにより該差し込み側切り込み内に形成された差し込み片と、前記内側ポケット形成部に設けられた上端側のみを開放された囲繞形状をなす受け側切り込みと、この受け側切り込みにより該受け側切り込み内に形成された受け片とを１枚のシートに有しており、
前記差し込み片は、前記差し込み側切り込みの囲繞形状の開放側に設けられた差し込み片細幅部と、この差し込み片細幅部より先端側に設けられており、前記差し込み片細幅部より幅が大きい差し込み片太幅部と、差し込み片細幅部と差し込み片太幅部との間に形成された差し込み片段差部とを有しており、
前記受け片が曲げ起こされたとき、前記受け側切り込みで囲まれる領域に開放される受け穴は、前記受け側切り込みの囲繞形状の開放側に設けられた受け穴太幅部と、この受け穴太幅部より下方に設けられており、前記受け穴太幅部より幅が小さい受け穴細幅部と、前記受け穴細幅部と前記受け穴太幅部との間に形成された受け穴段差部とを有している一枚のシートを用意する段階と、
前記第三のマチ形成部を前記第二の表紙部に対して前記第三のマチ形成部と前記第二の表紙部との境界線をなす折り線に沿って内方に折り曲げるとともに、前記内側ポケット形成部を前記第三のマチ形成部に対して前記内側ポケット形成部と前記第三のマチ形成部との境界線をなす折り線に沿って内方に折り曲げる段階と、
前記第二のマチ形成部を前記第二の表紙部に対して前記第二のマチ形成部と前記第二の表紙部との境界線をなす折り線に沿って内方に折り曲げるとともに、前記外側ポケット形成部を前記第二のマチ形成部に対して前記外側ポケット形成部と前記第二のマチ形成部との境界線をなす折り線に沿って内方に折り曲げる段階と、
前記受け片を内側に曲げ起こして前記受け穴を開放するとともに前記差し込み側切り込みから内側に曲げ起こした前記差し込み片を前記受け穴に差し込み、前記差し込み片細幅部と前記受け穴細幅部とを嵌合することにより、前記外側ポケット形成部、前記内側ポケット形成部、前記第二のマチ形成部および前記第三のマチ形成部によって構成される前記ポケット部を組立てる段階と、
前記第一のマチ形成部を前記第二の表紙部に対して前記第一のマチ形成部と前記第二の表紙部との境界線をなす折り線に沿って内方に折り曲げるとともに、前記第一の表紙部を前記第一のマチ形成部に対して前記第一の表紙部と前記第一のマチ形成部との境界線をなす折り線に沿って内方に折り曲げ、前記第一の表紙部と前記第二の表紙部との間にポケット部を挟む段階とを有してなるものである。
【００１７】
本発明によれば、接着や粘着を行うことなく、差し込み方式により、マチを有するポケット部付きファイルを組み立てることができ、製造コストを低減できる。
【００１８】
また、受け側切り込みは一直線状ではなく、一端側のみが開放された囲繞形状をなしているので、この受け側切り込みで囲まれる受け片を内側に曲げ起こすことにより、この受け側切り込みで囲まれる領域に大きな受け穴が開放されるため、受け側切り込み（受け穴）に対する差し込み片の差し込み作業を能率よく行うことができ、ひいては製造コストを一層低減できる。
【００１９】
また、ポケット部に収容した書類等の重量によりポケット部に力が下方に作用したとき、受け穴に差し込まれていることにより内側に曲がっている差し込み片の基端部（差し込み側切り込みの囲繞形状の開放側の端部）と受け側切り込み（受け穴細幅部の先端部）とが線状に接触して、下方向の力に対抗するので、大きな力が作用しても、ポケット部が分解したり、破損しにくい。
【００２０】
さらに、差し込み片が受け穴に差し込まれた後、受け片が元の位置（受け側切り込みで囲まれる位置）に復帰しようとすることにより、下方に力が作用していないときに、差し込み片が受け穴から上方に抜けてしまうように動くことが防止される。
【発明の効果】
【００２１】
本発明のポケット部付きファィルおよびその製造方法は、
（イ）接着や粘着を行うことなく、差し込み方式によりポケット部付きファイルを組み立てることができ、製造コストを低減でき、なおかつマチ付きとすることができる、
（ロ）受け側切り込み（受け穴）に対する差し込み片の差し込み作業を能率よく行うことができ、ひいては製造コストを一層低減できる、
（ハ）ポケット部に収容した書類等の重量によりポケット部に大きな力が下方に作用しても、ポケット部が分解したり、破損しにくい、
等の優れた効果を得られるものである。
【図面の簡単な説明】
【００２２】
【図１】本発明の一実施例における組立前の展開状態のポケット部付きファイルを示す平面図である。
【図２】前記実施例における差し込み側切り込みおよび差し込み片を示す拡大平面図である。
【図３】前記実施例における受け側切り込みおよび受け片を示す拡大平面図である。
【図４】前記実施例において、外側ポケット形成部を折り返した後、差し込み側切り込みから差し込み片を内側に曲げ起こした状態を示す拡大斜視図である。
【図５】前記実施例において受け側切り込みから受け片を内側に曲げ起こした状態を示す拡大斜視図である。
【図６】前記実施例においてポケット部付きファイルのポケット部の組立が完了し、第一の表紙部を途中まで折り返した状態を示す斜視図である。
【図７】前記実施例において差し込み片を受け穴に差し込んでポケット部の組立が完了した状態を示す拡大平面図である。
【図８】図７のＶＩＩＩ−ＶＩＩＩ線における断面図である。
【図９】前記実施例において差し込み片を受け穴に差し込んでポケット部の組立が完了した状態をポケット部内部側から見て示す拡大裏面図である。
【図１０】前記実施例において差し込み片が受け穴に最大限まで深くは差し込まれていない状態を示す拡大平面図である。
【図１１】前記実施例においてポケット部付きファイルのポケット部の組立が完了し、さらに第一の表紙部を第二の表紙部との間にポケット部を挟むようにして完全に折り返した状態を示す斜視図である。
【発明を実施するための形態】
【００２３】
以下、本発明を図面に示す実施例に基づいて説明する。
【実施例】
【００２４】
図１〜１１は本発明の一実施例を示している。このポケット部付きファィル１は、１枚の紙またはＰＰ、ＰＥＴ等のプラスチックシート等の可撓性シートから構成される。図１は組立前の展開状態を示している。このような展開状態において、ポケット部付きファィル１は、矩形状の第一の表紙部２と、矩形状の第二の表紙部３と、第一の表紙部２と第二の表紙部３との間に設けられた直線帯状の第一のマチ形成部４と、第二の表紙部３の下方に設けられた外側ポケット形成部５と、第二の表紙部３と外側ポケット形成部５との間に設けられた直線帯状の第二のマチ形成部６と、第二の表紙部３の第一の表紙部２とは反対側の側方（すなわち右方）かつ下方側に設けられた内側ポケット形成部７と、第二の表紙部３と内側ポケット形成部７との間に設けられた直線帯状の第三のマチ形成部８と、外側ポケット形成部５の右端部付近に上下方向に並べて設けられたそれぞれ下端のみを開放された囲繞形状をなす２つの差し込み側切り込み９と、これらの差し込み側切り込み９により基端部１０ｄ以外を外側ポケット形成部５から切り離されることにより該差し込み側切り込み９内に形成された差し込み片１０と、内側ポケット形成部７に上下方向に並べて設けられたそれぞれ上端のみを開放された囲繞形状をなす２つの受け側切り込み１１と、これらの受け側切り込み１１により基端部以外を内側ポケット形成部７から切り離されることにより該受け側切り込み１１内に形成された受け片１２とを有している。
【００２５】
図２および４によく示されるように、前記差し込み片１０は、差し込み側切り込み９の囲繞形状の開放側に設けられた矩形状の差し込み片細幅部１０ａと、この差し込み片細幅部１０ａより先端側に設けられており、差し込み片細幅部１０ａより左右方向の幅が大きい矩形状の差し込み片太幅部１０ｂと、差し込み片細幅部１０ａと差し込み片太幅部１０ｂとの間に形成された左右１対の差し込み片段差部１０ｃとを有している。
【００２６】
図３および５によく示されるように、前記受け片１２が曲げ起こされたとき、受け側切り込み１１で囲まれる領域が開放されて形成される受け穴１３は、受け側切り込み１１の囲繞形状の開放側に設けられた矩形状の受け穴太幅部１３ｂと、この受け穴太幅部１３ｂより下方に設けられており、受け穴太幅部１３ｂより左右方向の幅が大きい矩形状の受け穴細幅部１３ａと、受け穴細幅部１３ａと受け穴太幅部１３ｂとの間に形成された左右１対の受け穴段差部１３ｃとを有している。
【００２７】
このファィル１の組立は次のように行われる。まず、第三のマチ形成部８を第二の表紙部３に対して第三のマチ形成部８と第二の表紙部３との境界線をなす折り線Ａに沿って内方に折り曲げるとともに、内側ポケット形成部７を第三のマチ形成部８に対して内側ポケット形成部７と第三のマチ形成部８との境界線をなす折り線Ｂに沿って内方に折り曲げる。次に、第二のマチ形成部６を第二の表紙部３に対して第二のマチ形成部６と第二の表紙部３との境界線をなす折り線Ｃに沿って内方に折り曲げるとともに、外側ポケット形成部５を第二のマチ形成部６に対して外側ポケット形成部５と第二のマチ形成部６との境界線をなす折り線Ｄに沿って内方に折り曲げ、かつ図５のように受け片１２を内側に曲げ起こして受け穴１３を開放し、図４のように差し込み側切り込み９から内側に曲げ起こした差し込み片１０を、図７〜９のように受け穴１３に差し込み、差し込み片細幅部１０ａと受け穴細幅部１３ａとを嵌合する。これにより、図６のように、外側ポケット形成部５、内側ポケット形成部７、第二のマチ形成部６および第三のマチ形成部８によって構成されるポケット部１４が組立てられる。
【００２８】
なお、図７は差し込み片１０を受け穴１３に差し込んだ状態をポケット部１４外から見て示している一方、図９は差し込み片１０を受け穴１３に差し込んだ状態をポケット部１４内部側から見て示している。また、図８の断面図は、分かり易くするために模式的に描いたものであり、実際の状態を忠実に描いたものではないことに注意されたい。
【００２９】
また、図７〜９は、差し込み片１０が受け穴１３に最大限まで深く差し込まれている状態を示しているが、ポケット部１４に下方に大きな力が作用していないときは、ファイル１を構成するシートの弾性等のため、図１０のように、差し込み片１０が受け穴１３に最大限まで深くは差し込まれていない状態になることもある（ただし、この場合も、差し込み片細幅部１０ａと受け穴細幅部１３ａとは嵌合している）。
【００３０】
次に、第一のマチ形成部４を第二の表紙部３に対して第一のマチ形成部４と第二の表紙部３との境界線をなす折り線Ｅに沿って内方に折り曲げるとともに、第一の表紙部２を第一のマチ形成部４に対して第一の表紙部２と第一のマチ形成部４との境界線をなす折り線Ｆに沿って内方に折り曲げ、図１１のように第一の表紙部２を第二の表紙部３との間にポケット部１４を挟むようにして完全に折り返せば、ファイル１が完成する。
【００３１】
このポケット部付きファィル１およびその製造方法によれば、接着や粘着を行うことなく、差し込み方式によりマチを有するポケット部付きファイル１を組み立てることができる。
【００３２】
また、受け側切り込み１１は一直線状ではなく、一端側のみが開放された囲繞形状をなしているので、この受け側切り込み１１で囲まれる受け片１２を内側に曲げ起こすことにより、この受け側切り込み１１で囲まれる領域に大きな受け穴１３が開放されるため、受け側切り込み１１（受け穴１３）に対する差し込み片１０の差し込み作業を能率よく行うことができ、ひいては製造コストを一層低減できる。
【００３３】
また、ポケット部１４に収容した書類等の重量によりポケット部１４に力が下方に作用したとき、図７および８によく示されるように、受け穴１３に差し込まれていることにより内側に曲がっている差し込み片１０の基端部１０ｄ（差し込み側切り込み９の囲繞形状の開放側の端部）と受け側切り込み１１（受け穴細幅部１３ａの先端部）とが線状に接触して、下方向の力に対抗するので、大きな力が作用しても、ポケット部１４が分解したり、破損しにくい。
【００３４】
さらに、差し込み片１０が受け穴１３に差し込まれた後、受け片１２が元の位置（受け側切り込み１１で囲まれる位置）に復帰しようとすることにより、下方に力が作用していないときに、差し込み片１０が受け穴１３から上方に抜けてしまうように動くことが防止される。
【００３５】
なお、前記実施例においては、ポケット部１４を設けられない第一の表紙部２が左方、ポケット部１４を設けられる第二の表紙部３が右方に配置されているが、本発明においては逆の配置としてもよい。
【００３６】
また、前記実施例においては差し込み側切り込み９、差し込み片１０、受け側切り込み１１、受け片１２および受け穴１３が２組設けられているが、これらを１組のみまたは３組以上設けてもよい。ただし、２組以上設けた方がよりポケット部の強度が向上する。
【産業上の利用可能性】
【００３７】
以上のように本発明によるポケット部付きファィルおよびその製造方法は、少なくとも主要部を１枚のシートにより構成され、かつマチを有するポケット部付きファィルおよびその製造方法として有用である。
【符号の説明】
【００３８】
１    ポケット部付きファイル
２    第一の表紙部
３    第二の表紙部
４    第一のマチ形成部
５    外側ポケット形成部
６    第二のマチ形成部
７    内側ポケット形成部
８    第三のマチ形成部
９    差し込み側切り込み
１０    差し込み片
１０ａ  差し込み片細幅部
１０ｂ  差し込み片太幅部
１０ｃ  差し込み片段差部
１０ｄ  差し込み片１０の基端部
１１    受け側切り込み
１２    受け片
１３    受け穴
１３ａ  受け穴細幅部
１３ｂ  受け穴太幅部
１３ｃ  受け穴段差部
１４    ポケット部
Ａ〜Ｆ  折り線
【図１】
2013014080.tif 000003
【図２】
2013014080.tif 000004
【図３】
2013014080.tif 000005
【図４】
2013014080.tif 000006
【図５】
2013014080.tif 000007
【図６】
2013014080.tif 000008
【図７】
2013014080.tif 000009
【図８】
2013014080.tif 000010
【図９】
2013014080.tif 000011
【図１０】
2013014080.tif 000012
【図１１】
2013014080.tif 000013